(57)【要約】  本発明に係る被験者に対する免疫チェックポイント阻害剤の奏効性を予測する方法は、（ａ）被験者の血液試料から細胞を採取する工程と、（ｂ１）細胞に、ＰＤ−Ｌ１を認識する一次抗体を接触させ、次いで一次抗体を認識する二次抗体であって蛍光色素で標識されている二次抗体を接触させる工程、又は、細胞に、ＰＤ−Ｌ１を認識する抗体であって蛍光色素で標識されている抗体を接触させる工程と、（ｃ）細胞に蛍光色素の励起光を照射して、細胞から発せられる蛍光を検出する工程と、を備え、細胞がＰＤ−Ｌ１陽性癌細胞である場合に、被験者に対する免疫チェックポイント阻害剤の奏効性が高いと予測する。かかる方法によれば、被験者に大きな負担をかけることなく、免疫チェックポイント阻害剤の奏効性を予測することができる。
2018190379.tif 000002
【特許請求の範囲】
【請求項１】
被験者に対する免疫チェックポイント阻害剤の奏効性を予測する方法であって、
（ａ）被験者の血液試料から細胞を採取する工程と、
（ｂ１）細胞に、ＰＤ−Ｌ１を認識する一次抗体を接触させ、次いで一次抗体を認識する二次抗体であって蛍光色素で標識されている二次抗体を接触させる工程、又は、細胞に、ＰＤ−Ｌ１を認識する抗体であって蛍光色素で標識されている抗体を接触させる工程と、
（ｃ）細胞に蛍光色素の励起光を照射して、細胞から発せられる蛍光を検出する工程と、を備え、
蛍光色素の蛍光が検出されることが、細胞がＰＤ−Ｌ１陽性癌細胞であることを示し、
細胞がＰＤ−Ｌ１陽性癌細胞である場合に、被験者に対する免疫チェックポイント阻害剤の奏効性が高いと予測する、
方法。
【請求項２】
被験者に対する免疫チェックポイント阻害剤の奏効性を予測する方法であって、
（ａ）被験者の血液試料から細胞を採取する工程と、
（ｂ１）細胞に、ＰＤ−Ｌ１を認識する一次抗体を接触させ、次いで一次抗体を認識する二次抗体であって第一の蛍光色素で標識されている二次抗体を接触させる工程、又は、細胞に、ＰＤ−Ｌ１を認識する抗体であって第一の蛍光色素で標識されている抗体を接触させる工程と、
（ｂ２）細胞に、上皮細胞のマーカータンパク質を認識する一次抗体を接触させ、次いで一次抗体を認識する二次抗体であって第二の蛍光色素で標識されている二次抗体を接触させる工程、又は、細胞に、上皮細胞のマーカータンパク質を認識する抗体であって第二の蛍光色素で標識されている抗体を接触させる工程と、
（ｃ）細胞に、第一及び第二の蛍光色素の励起光を照射して、細胞から発せられる第一及び第二の蛍光を検出する工程と、
（ｄ）検出された蛍光の組み合わせから、細胞における、癌細胞の数に対するＰＤ−Ｌ１陽性癌細胞の数の割合を算出する工程であって、
癌細胞の数は、第二の蛍光色素の蛍光が検出された細胞の数であり、
ＰＤ−Ｌ１陽性癌細胞の数は、第一及び第二の蛍光色素の蛍光の組み合わせが検出された細胞の数である、工程と、を備え、
工程（ｂ１）及び工程（ｂ２）を任意の順で行い、
癌細胞の数に対するＰＤ−Ｌ１陽性癌細胞の数の割合が、３０％以上の基準値以上である場合に、被験者に対する免疫チェックポイント阻害剤の奏効性が高いと予測する、
方法。
【請求項３】
工程（ａ）が、血液試料をフィルターでろ過してフィルター上に細胞を捕捉する工程である、請求項２に記載の方法。
【請求項４】
工程（ａ）の後かつ工程（ｃ）の前の任意の段階で、
（ｘ１）細胞に、白血球のマーカータンパク質を認識する一次抗体を接触させ、次いで一次抗体を認識する二次抗体であって第三の蛍光色素で標識されている二次抗体を接触させる工程、又は、細胞に、白血球を認識する抗体であって第三の蛍光色素で標識されている抗体を接触させる工程と、
（ｘ２）細胞の核を第四の蛍光色素で標識する工程と、
を任意の順でさらに行い、
工程（ｃ）において、細胞に、第一、第二、第三及び第四の蛍光色素の励起光をそれぞれ照射して、細胞から発せられる第一、第二、第三、及び第四の蛍光色素の蛍光をそれぞれ検出し、
工程（ｄ）において、
癌細胞の数は、第三の蛍光色素の蛍光が観察されず、かつ、第二及び第四の蛍光色素の蛍光の組み合わせが検出され細胞の数であり、
ＰＤ−Ｌ１陽性癌細胞の数は、第三の蛍光色素の蛍光が観察されず、かつ、第一、第二及び第四の蛍光色素の蛍光の組み合わせが検出された細胞の数である、請求項２又は３に記載の方法。
【請求項５】
工程（ｘ１）、工程（ｂ１）及び工程（ｂ２）をこの順で行い、
工程（ｘ２）を工程（ｂ２）と同時に行う、請求項４に記載の方法。
【請求項６】
免疫チェックポイント阻害剤が、抗ＰＤ−１抗体又は抗ＰＤ−Ｌ１抗体である、請求項４又は５に記載の方法。
【請求項７】
白血球のマーカータンパク質がＣＤ４５である、請求項４〜６のいずれか一項に記載の方法。
【請求項８】
上皮細胞のマーカータンパク質がサイトケラチンである、請求項４〜７のいずれか一項に記載の方法。
【請求項９】
第一、第二、及び第三の蛍光色素が、フルオレセイン、Ａｌｅｘａ  Ｆｌｕｏｒ（登録商標）  ５９４、及びＡｌｅｘａ  Ｆｌｕｏｒ（登録商標）  ６４７からなる群より選ばれ、第４の蛍光色素が４′，６−ジアミジノ−２−フェニルインドールである、請求項４〜８のいずれか一項に記載の方法。
【発明の詳細な説明】
【技術分野】
【０００１】
本発明は、被験者に対する免疫チェックポイント阻害剤の奏効性を予測する方法に関する。
【背景技術】
【０００２】
癌の治療方法の一つとして「免疫チェックポイント阻害療法」が知られている。免疫チェックポイント阻害療法は、免疫反応を抑制する反応経路（免疫チェックポイント）を免疫チェックポイント阻害剤で阻害することにより、免疫細胞を活性化させる。患者の癌細胞が標的の免疫チェックポイントを有さない場合、免疫チェックポイント阻害剤の奏効性は低い。そのため、免疫チェックポイント阻害療法を実際に実施する前に、免疫チェックポイント阻害剤の奏効性を予測することが重要である。【０００３】
免疫チェックポイント阻害剤の奏効性を予測する方法として、非特許文献１に記載される方法がある。この文献では、免疫チェックポイント阻害剤「ペムブロリズマブ」の奏功性を、患者から組織検体を採取して、検体中のＰＤ−Ｌ１を発現している癌細胞（ＰＤ−Ｌ１陽性癌細胞）を検出することにより予測している。ペムブロリズマブは、免疫反応を抑制するＰＤ−１／ＰＤ−Ｌ１経路を阻害する薬剤であり、同じくＰＤ−１／ＰＤ−Ｌ１経路を阻害するニボルマブと並んで、開発が最も進んでいる免疫チェックポイント阻害剤の一つである。
【先行技術文献】
【非特許文献】
【０００４】
【非特許文献１】“Ｔｈｅ  Ｎｅｗ  Ｅｎｇｌａｎｄ  Ｊｏｕｒｎａｌ  ｏｆ  Ｍｅｄｉｃｉｎｅ”、２０１５、Ｖｏｌ．３７２、Ｎｏ．２１、ｐ．２０１８−２０２８
【発明の概要】
【発明が解決しようとする課題】
【０００５】
非特許文献１の方法は、患者から腫瘍組織を採取することを要するため、患者への負担が大きかった。本発明は、被験者に大きな負担をかけることなく、免疫チェックポイント阻害剤の奏効性を予測することを目的とする。
【課題を解決するための手段】
【０００６】
本発明は、被験者に対する免疫チェックポイント阻害剤の奏効性を予測する方法であって、（ａ）被験者の血液試料から細胞を採取する工程と、（ｂ１）細胞に、ＰＤ−Ｌ１を認識する一次抗体を接触させ、次いで一次抗体を認識する二次抗体であって蛍光色素で標識されている二次抗体を接触させる工程、又は、細胞に、ＰＤ−Ｌ１を認識する抗体であって蛍光色素で標識されている抗体を接触させる工程と、（ｃ）細胞に蛍光色素の励起光を照射して、細胞から発せられる蛍光を検出する工程と、を備え、蛍光色素の蛍光が検出されることが、細胞がＰＤ−Ｌ１陽性癌細胞であることを示し、細胞がＰＤ−Ｌ１陽性癌細胞である場合に、被験者に対する免疫チェックポイント阻害剤の奏効性が高いと予測する方法を提供する。【０００７】
また、本発明は、被験者に対する免疫チェックポイント阻害剤の奏効性を予測する方法であって、（ａ）被験者の血液試料から細胞を採取する工程と、（ｂ１）細胞に、ＰＤ−Ｌ１を認識する一次抗体を接触させ、次いで一次抗体を認識する二次抗体であって第一の蛍光色素で標識されている二次抗体を接触させる工程、又は、細胞に、ＰＤ−Ｌ１を認識する抗体であって第一の蛍光色素で標識されている抗体を接触させる工程と、（ｂ２）細胞に、上皮細胞のマーカータンパク質を認識する一次抗体を接触させ、次いで一次抗体を認識する二次抗体であって第二の蛍光色素で標識されている二次抗体を接触させる工程、又は、細胞に、上皮細胞のマーカータンパク質を認識する抗体であって第二の蛍光色素で標識されている抗体を接触させる工程と、（ｃ）細胞に、第一及び第二の蛍光色素の励起光を照射して、細胞から発せられる第一及び第二の蛍光を検出する工程と、（ｄ）検出された蛍光の組み合わせから、細胞における、癌細胞の数に対するＰＤ−Ｌ１陽性癌細胞の数の割合を算出する工程であって、癌細胞の数は、第二の蛍光色素の蛍光が検出された細胞の数であり、ＰＤ−Ｌ１陽性癌細胞の数は、第一及び第二の蛍光色素の蛍光の組み合わせが検出された細胞の数である、工程と、を備え、工程（ｂ１）及び工程（ｂ２）を任意の順で行い、癌細胞の数に対するＰＤ−Ｌ１陽性癌細胞の数の割合が、３０％以上の基準値以上である場合に、被験者に対する免疫チェックポイント阻害剤の奏効性が高いと予測する方法も提供する。【０００８】
工程（ａ）は、血液試料をフィルターでろ過してフィルター上に細胞を捕捉する工程であってもよい。【０００９】
工程（ａ）の後かつ工程（ｃ）の前の任意の段階で、（ｘ１）細胞に、白血球のマーカータンパク質を認識する一次抗体を接触させ、次いで一次抗体を認識する二次抗体であって第三の蛍光色素で標識されている二次抗体を接触させる工程、又は、細胞に、白血球を認識する抗体であって第三の蛍光色素で標識されている抗体を接触させる工程と、（ｘ２）細胞の核を第四の蛍光色素で標識する工程と、を任意の順でさらに行ってもよく、工程（ｃ）において、細胞に、第一、第二、第三及び第四の蛍光色素の励起光をそれぞれ照射して、細胞から発せられる第一、第二、第三、及び第四の蛍光色素の蛍光をそれぞれ検出してもよく、工程（ｄ）において、癌細胞の数は、第三の蛍光色素の蛍光が観察されず、かつ、第二及び第四の蛍光色素の蛍光の組み合わせが検出された細胞の数であってよく、ＰＤ−Ｌ１陽性癌細胞の数は、第三の蛍光色素の蛍光が観察されず、かつ、第一、第二及び第四の蛍光色素の蛍光の組み合わせが検出された細胞の数であってよい。【００１０】
工程（ｘ１）、工程（ｂ１）及び工程（ｂ２）をこの順で行ってもよく、工程（ｘ２）を工程（ｂ２）と同時に行ってもよい。免疫チェックポイント阻害剤は、抗ＰＤ−１抗体又は抗ＰＤ−Ｌ１抗体であってよい。白血球のマーカータンパク質はＣＤ４５であってよい。上皮細胞のマーカータンパク質はサイトケラチンであってよい。第一、第二、及び第三の蛍光色素は、フルオレセイン、Ａｌｅｘａ  Ｆｌｕｏｒ（登録商標）  ５９４、及びＡｌｅｘａ  Ｆｌｕｏｒ（登録商標）  ６４７からなる群より選ばれてもよく、第４の蛍光色素は４′，６−ジアミジノ−２−フェニルインドールであってもよい。
【発明の効果】
【００１１】
本発明の方法によれば、血液試料を使用することにより、被験者に大きな負担をかけることなく、簡単かつ短時間で、被験者に対する免疫チェックポイント阻害剤の奏効性を予測することができる。
【図面の簡単な説明】
【００１２】
【図１】細胞捕捉カートリッジの一実施形態を示す斜視図である。
【図２】図１におけるＩＩ−ＩＩ線断面図である。
【図３】実施参考例１において蛍光標識された細胞の画像である。
【図４】実施参考例２において蛍光標識された細胞の画像である。
【図５】実施参考例２において蛍光標識された細胞の画像である。
【図６】実施参考例３において蛍光標識された細胞の画像である。
【図７】実施参考例３において蛍光標識された細胞の画像である。
【図８】実施参考例４において蛍光標識された細胞の画像である。
【発明を実施するための形態】
【００１３】
本発明の、被験者に対する免疫チェックポイント阻害剤の奏効性を予測する方法は、（ａ）被験者の血液試料から細胞を採取する工程と、（ｂ１）細胞に、ＰＤ−Ｌ１を認識する一次抗体を接触させ、次いで一次抗体を認識する二次抗体であって蛍光色素で標識されている二次抗体を接触させる工程、又は、細胞に、ＰＤ−Ｌ１を認識する抗体であって蛍光色素で標識されている抗体を接触させる工程と、（ｃ）細胞に蛍光色素の励起光を照射して、細胞から発せられる蛍光を検出する工程と、を備える。癌患者の血液中には、血中循環癌細胞（Ｃｉｒｃｕｌａｔｉｎｇ  Ｔｕｍｏｒ  Ｃｅｌｌ、以下、「ＣＴＣ」ともいう。）と呼ばれ、血管及びリンパ管を通じて体内を循環する癌細胞が存在する場合がある。ＣＴＣは、例えば、肺、肝臓、胃、頭頸、膀胱、尿路上皮、食道、胆道、乳腺、卵巣、子宮、肝臓、前立腺、又は膵臓における癌の細胞が血管及びリンパ管に侵入したものである。したがって、これらの器官における癌組織を採取せずとも、被験者の血液試料を使用することで、ＰＤ−Ｌ１陽性癌細胞（ＰＤ−Ｌ１陽性のＣＴＣ）を検出することができる。本明細書において、「ＣＴＣ」と「血液試料中の癌細胞」は同義として扱う。
【００１４】
被験者は、癌患者又は癌を患っている可能性のある対象であってよい。
【００１５】
免疫チェックポイント阻害剤は、免疫チェックポイントを阻害する薬剤であれば特に制限されず、ＰＤ−Ｌ１及びＰＤ−１等、免疫チェックポイントに関与するタンパク質の発現又は活性を阻害する薬剤であってよい。免疫チェックポイント阻害剤は、例えば、低分子化合物、抗体、核酸、又はこれらの組み合わせである。免疫チェックポイント阻害剤の具体例は、抗ＰＤ−１抗体、抗ＰＤ−Ｌ１抗体、及び抗ＣＴＬＡ−４抗体である。抗ＰＤ−１抗体の具体例は、ニボルマム及びペムブロリズマブである。抗ＰＤ−Ｌ１抗体の具体例は、アテゾリズマブ、デュルバルマブ、及びアベルマブである。抗ＣＴＬＡ−４抗体の具体例は、トレメリムマブ及びイピリムマブである。
【００１６】
血液試料としては、被験者から採取した血液をそのまま使用してもよいし、リン酸緩衝生理食塩水（ＰＢＳ）等の緩衝液又はその他適当な媒体で希釈された血液を使用してもよい。血液試料には、抗凝固剤及び固定剤等、通常血液試料に添加される添加剤が添加されていてもよい。
【００１７】
工程（ａ）において、細胞は、例えば、血液試料をフィルターでろ過して、フィルター上に血液試料中の細胞を捕捉することで、血液試料から採取することができる。血液中に含まれる細胞のうち、白血球はＣＴＣと同程度の直径を有するため、フィルター上にはＣＴＣとともに一部の白血球が捕捉される。フィルターにより血液試料中の細胞を採取する場合、ＰＤ−Ｌ１陽性癌細胞の検出は、そのままフィルター上で行うことができる。すなわち、本発明における全ての工程は、フィルター上に捕捉された細胞に対して行うことができる。「捕捉」とは、細胞を含有する液体をフィルターでろ過して、細胞をフィルター上に残留させることを意味する。
【００１８】
フィルターは、血液試料中に存在するＣＴＣを捕捉できるフィルターであれば特に限定されず、従来公知のフィルターを使用できる。フィルターは、例えば、金属又は樹脂製のフィルターであってよく、基板と、基板上に設けられた、好ましくは５μｍ〜１５μｍ、より好ましくは６μｍ〜１２μｍ、さらに好ましくは７μｍ〜１０μｍの孔径の貫通孔と、を有してもよい。貫通孔の孔径は、貫通孔を通過できる球の直径の最大値をいう。
【００１９】
本明細書において、細胞に物質を「接触させる」ことは、例えば、細胞をその物質若しくはその物質の溶液に浸すことにより行うことができる。細胞の採取にフィルターを使用する場合、細胞に反応液又は洗浄液を接触させることは、これらの溶液をフィルターでろ過することにより行うことができる。ろ過の際、細胞へのダメージを最小限に抑える観点から、溶液の流速は、５０μＬ／分〜３０００μＬ／分が好ましく、１００μＬ／分〜１０００μＬ／分がより好ましく、２００μＬ／分〜６００μＬ／分がさらに好ましい。
【００２０】
工程（ａ）の後、細胞を洗浄してもよい。洗浄工程は、例えば、ＰＢＳ等の既知の緩衝液を含む洗浄液を、細胞に接触させることで行う。洗浄液には、牛血清アルブミン（ＢＳＡ）又はエチレンジアミン四酢酸（ＥＤＴＡ）等の添加物が含まれていてよい。洗浄は、工程（ａ）の後に限らず、各工程の後に適宜行うことができる。
【００２１】
さらに、工程（ａ）の後、細胞を固定化してもよい。ホルムアルデヒド等の公知の固定剤を細胞に接触させることで、細胞を固定化できる。細胞を固定化することにより、細胞の腐敗又は凝集をより軽減することができる。
【００２２】
固定化した細胞を、次いで透過処理してもよい。公知の透過処理剤を細胞に接触させることで、細胞を透過処理することができる。透過処理剤としては、例えば、ポリ（オキシエチレン）オクチルフェニルエーテルを使用することができる。
【００２３】
工程（ｂ１）では、細胞に、ＰＤ−Ｌ１を認識する一次抗体を接触させ、次いで一次抗体を認識する二次抗体であって蛍光色素（第一の蛍光色素）で標識されている二次抗体を接触させる（二段階の蛍光標識）。あるいは、細胞に、ＰＤ−Ｌ１を認識する抗体であって蛍光色素（第一の蛍光色素）で標識されている抗体を接触させる（一段階の蛍光標識）。この工程によりＰＤ−Ｌ１が蛍光標識される。ＰＤ−Ｌ１の蛍光標識は、上記のように、二段階又は一段階のいずれで行ってもよい。
【００２４】
ＰＤ−Ｌ１を認識する一次抗体又はＰＤ−Ｌ１を認識する抗体であって蛍光色素（第一の蛍光色素）で標識されている抗体は、例えば、２８−８、ＳＰ１４２、Ｅ１Ｌ３Ｎ（登録商標）、ＥＰＲ１１６１（２）、及び２２Ｃ３からなる群より選ばれるクローンに由来してもよく、ポリクローナル抗体（例えば、Ｐｒｏｓｃｉ社のカタログ番号：４０５９）であってもよい。より高い感度でＰＤ−Ｌ１陽性癌細胞を検出する観点から、ＰＤ−Ｌ１を認識する一次抗体又はＰＤ−Ｌ１を認識する抗体は、２８−８又はＳＰ１４２に由来することが好ましい。また、２８−８に由来する抗体又はＳＰ１４２に由来する抗体を使用することで、抗体の非特異的な結合を低減することができ、したがって、偽陽性を減らすことができる。これらのクローンに由来する抗体は、いずれも抗ＰＤ−Ｌ１ウサギモノクローナル抗体である。
【００２５】
蛍光色素（第一の蛍光色素）は、抗体の蛍光標識に通常使用される蛍光色素であれば特に限定されない。第一の蛍光色素は、例えば、Ａｌｅｘａ  Ｆｌｕｏｒ（登録商標）  ６４７又はＣｙ（登録商標）５である。
【００２６】
最後に、工程（ｃ）において、細胞に蛍光色素の励起光を照射して、細胞から発せられる蛍光を検出する。蛍光色素（第一の蛍光色素）の蛍光が検出される（陽性）ことは、細胞がＰＤ−Ｌ１陽性癌細胞であることを示す。細胞がＰＤ−Ｌ１陽性癌細胞である場合、被験者に対する免疫チェックポイント阻害剤の奏効性が高いと予測する。その後、被験者に対する奏効性が高いと予測された免疫チェックポイント阻害剤を、その被験者に投与してもよい。すなわち、本発明の一側面は、癌患者を治療する方法であるともいえる。
【００２７】
ＰＤ−Ｌ１の発現量は被験者によって異なる。癌組織におけるＰＤ−Ｌ１の発現の程度が高いほど、被験者に対する免疫チェックポイント阻害剤の奏効性は高い傾向にある。逆に、癌組織におけるＰＤ−Ｌ１の発現の程度が低いほど、被験者に対する免疫チェックポイント阻害剤の奏効性は低いか、奏効性が全くない可能性が高い傾向にある。免疫チェックポイント阻害剤の奏効性をより適格に予測する観点から、本発明の一形態に係る方法は、（ａ）被験者の血液試料から細胞を採取する工程と、（ｂ１）細胞に、ＰＤ−Ｌ１を認識する一次抗体を接触させ、次いで一次抗体を認識する二次抗体であって第一の蛍光色素で標識されている二次抗体を接触させる工程、又は、細胞に、ＰＤ−Ｌ１を認識する抗体であって第一の蛍光色素で標識されている抗体を接触させる工程と、（ｂ２）細胞に、上皮細胞のマーカータンパク質を認識する一次抗体を接触させ、次いで一次抗体を認識する二次抗体であって第二の蛍光色素で標識されている二次抗体を接触させる工程、又は、細胞に、上皮細胞のマーカータンパク質を認識する抗体であって第二の蛍光色素で標識されている抗体を接触させる工程と、（ｃ）細胞に、第一及び第二の蛍光色素の励起光を照射して、細胞から発せられる第一及び第二の蛍光を検出する工程と、（ｄ）検出された蛍光の組み合わせから、細胞における、ＣＴＣ（癌細胞）の数に対するＰＤ−Ｌ１陽性癌細胞の数の割合を算出する工程と、を備えてもよい。
【００２８】
工程（ａ）及び工程（ｂ１）は既に説明したとおりである。洗浄工程並びに細胞の固定化及び透過処理も、上記実施形態において説明したとおり、適宜行うことができる。工程（ｂ１）と工程（ｂ２）は、任意の順で行うことができる。
【００２９】
工程（ｂ２）では、細胞に、上皮細胞のマーカータンパク質を認識する一次抗体を接触させ、次いで一次抗体を認識する二次抗体であって第二の蛍光色素で標識されている二次抗体を接触させる（二段階の蛍光標識）。あるいは、細胞に、上皮細胞のマーカータンパク質を認識する抗体であって第二の蛍光色素で標識されている抗体を接触させる（一段階の蛍光標識）。この工程により、ＣＴＣが蛍光標識される。ＣＴＣの蛍光標識は、上記のように二段階又は一段階のいずれで行ってもよい。
【００３０】
上皮細胞のマーカータンパク質としては、例えば、サイトケラチン、上皮細胞接着分子（ＥｐＣＡＭ）、ＣＤ１４６、及びＣＤ１７６が挙げられ、サイトケラチンが好ましい。ＣＴＣは上皮細胞に由来するため、これら上皮細胞のマーカータンパク質を有する。
【００３１】
第二の蛍光色素は、抗体の蛍光標識に通常使用される蛍光色素であって、第一の蛍光色素とは別の蛍光色素であれば特に限定されない。第二の蛍光色素は、例えば、フルオレセインイソチオシアネート（ＦＩＴＣ）等のフルオレセイン又はＡｌｅｘａ  Ｆｌｕｏｒ（登録商標）  ４８８である。
【００３２】
上皮細胞のマーカータンパク質を認識する一次抗体、第二の蛍光色素で標識されている二次抗体、及び上皮細胞のマーカータンパク質を認識する抗体であって第二の蛍光色素で標識されている抗体は、特に限定されず、ポリクローナル抗体又はモノクローナル抗体であってよい。抗体が由来する動物は、一次抗体が由来する動物と二次抗体が由来する動物とが異なる動物である限り、特に限定されない。
【００３３】
本実施形態において、工程（ｃ）では、細胞に、第一及び第二の蛍光色素の励起光を照射して、細胞から発せられる第一及び第二の蛍光を検出する。ＰＤ−Ｌ１陽性癌細胞は第一及び第二の蛍光色素で標識されているため、第一及び第二の蛍光色素の蛍光が検出される細胞をＰＤ−Ｌ１陽性癌細胞と同定することができる。ＣＴＣは第二の蛍光色素で標識されているため、第二の蛍光色素の蛍光が検出される細胞を、ＣＴＣと同定することができる。
【００３４】
最後に、工程（ｄ）において、検出された蛍光の組み合わせから、細胞における、ＣＴＣの数に対するＰＤ−Ｌ１陽性癌細胞の数の割合を算出する。割合は百分率であってもよい。ＰＤ−Ｌ１陽性癌細胞の数は、第一及び第二の蛍光色素の蛍光が検出された細胞の数である。ＣＴＣの数は、第二の蛍光色素の蛍光が検出された細胞の数である。
【００３５】
ＣＴＣの数に対するＰＤ−Ｌ１陽性癌細胞の数の割合が基準値以上である場合に、被験者に対する免疫チェックポイント阻害剤の奏効性が高いと予測する。免疫チェックポイント阻害剤の奏効性をより適格に予測する観点から、基準値は３０％以上であってよく、４０％以上であることが好ましく、５０％以上であることがより好ましい。その後、被験者に対する奏効性が高いと予測された免疫チェックポイント阻害剤を、その被験者に投与してもよい。
【００３６】
血液試料中には、ＰＤ−Ｌ１陽性癌細胞の他に、ＰＤ−Ｌ１陰性癌細胞、白血球等のその他の細胞が多数存在する。このため、工程（ｂ１）において、ＰＤ−Ｌ１を認識する抗体がＰＤ−Ｌ１陰性の細胞に結合し、ＰＤ−Ｌ１陰性の細胞からＰＤ−Ｌ１を示す蛍光が観察される場合がある（ＰＤ−Ｌ１偽陽性ともいう）。同様に、サイトケラチンを認識する抗体がサイトケラチン陰性の細胞に結合し、サイトケラチン陰性の細胞からサイトケラチンを示す蛍光が観察される場合もある（サイトケラチン偽陽性ともいう）。これら偽陽性の存在は、免疫チェックポイント阻害剤の奏効性を適格に予測することを、妨げる傾向にある。偽陽性を減らし、免疫チェックポイント阻害剤の奏効性をより適格に予測する観点から、工程（ａ）の後かつ工程（ｃ）の前の任意の段階で、以下の工程（ｘ１）及び（ｘ２）をさらに行うことが好ましい。
【００３７】
工程（ｘ１）では、細胞に、白血球のマーカータンパク質を認識する一次抗体を接触させ、次いで一次抗体を認識する二次抗体であって第三の蛍光色素で標識されている二次抗体を接触させる（二段階の蛍光標識）。あるいは、細胞に、白血球を認識する抗体であって第三の蛍光色素で標識されている抗体を接触させる（一段階の蛍光標識）。この工程により、白血球が蛍光標識される。白血球の蛍光標識は、上記のように二段階又は一段階のいずれで行ってもよい。
【００３８】
白血球のマーカータンパク質は、例えば、全造血幹細胞に発現するＣＤ４５である。
【００３９】
白血球のマーカータンパク質を認識する一次抗体、第三の蛍光色素で標識されている二次抗体、及び白血球のマーカータンパク質を認識する抗体であって第三の蛍光色素で標識されている抗体は、特に限定されず、ポリクローナル抗体又はモノクローナル抗体であってよい。抗体が由来する動物は、一次抗体が由来する動物と二次抗体が由来する動物とが異なる動物である限り、特に限定されない。
【００４０】
第三の蛍光色素は、抗体の蛍光標識に通常使用される蛍光色素であれば特に限定されない。第三の蛍光色素は、例えば、Ａｌｅｘａ  Ｆｌｕｏｒ（登録商標）  ５９４又はＴｅｘａｓ  Ｒｅｄ（登録商標）である。第三の蛍光色素は、第一、第二及び第四の蛍光色素とは別の蛍光色素である。各蛍光色素は異なる蛍光波長を有するため、識別可能である。好ましくは、第一、第二、及び第三の蛍光色素は、フルオレセイン、Ａｌｅｘａ  Ｆｌｕｏｒ  ５９４、及びＡｌｅｘａ  Ｆｌｕｏｒ  ６４７からなる群より選ばれ、第４の蛍光色素は４′，６−ジアミジノ−２−フェニルインドール（ＤＡＰＩ）である。
【００４１】
工程（ｘ２）では、細胞の核を第四の蛍光色素で標識する。核を標識する第四の蛍光色素は、核酸に結合することができる蛍光色素であれば特に限定されず、核を蛍光標識するのに通常用いられる蛍光色素を使用することができる。第四の蛍光色素としては、例えば、ＤＡＰＩ及び２′−（４−エトキシフェニル）−５−（４−メチル−１−ピペラジニル）−２，５′−ビ−１Ｈ−ベンゾイミダゾール三塩酸塩（Ｈｏｅｃｈｓｔ３３３４２）が挙げられる。
【００４２】
工程（ｘ１）、工程（ｘ２）、工程（ｂ１）、及び工程（ｂ２）の順番は特に限定されず、例えば、工程（ｘ１）、工程（ｂ１）及び工程（ｂ２）をこの順で行い、工程（ｘ２）を工程（ｂ２）と同時に行ってもよい。工程（ｘ１）と工程（ｂ１）との間に、細胞の固定化及び透過処理を行ってもよい。
【００４３】
任意である工程（ｘ１）及び（ｘ２）を行う場合、工程（ｃ）では、細胞に、第一、第二、第三及び第四の蛍光色素の励起光をそれぞれ照射して、細胞から発せられる第一、第二、第三及び第四の蛍光色素の蛍光をそれぞれ検出する。ＰＤ−Ｌ１陽性癌細胞は、第一、第二、及び第四の蛍光色素で標識されているが、第三の蛍光色素では標識されていない。したがって、第三の蛍光色素の蛍光が検出されず（陰性）、第一、第二、及び第四の蛍光色素の蛍光が検出される（陽性）細胞を、ＰＤ−Ｌ１陽性癌細胞と同定することができる。工程（ｄ）におけるＰＤ−Ｌ１陽性癌細胞の数は、このような細胞の数である。ＣＴＣは、第二及び第四の蛍光色素で標識されているが、第三の蛍光色素では標識されていない。したがって、第三の蛍光色素の蛍光が検出されず（陰性）、第二、及び第四の蛍光色素の蛍光が検出される（陽性）細胞を、ＣＴＣと同定することができる。工程（ｄ）におけるＣＴＣの数は、このような細胞の数である。
【００４４】
上記のいずれかの方法により血液試料中のＰＤ−Ｌ１陽性癌細胞を検出するときは、例えば、図１及び図２に示すカートリッジを用いることができる。以下、本発明の一実施形態であって、カートリッジを使用して被験者に対する免疫チェックポイント阻害剤の奏効性を予測する方法について述べる。別段の記載がない限り、各工程についての詳細及び工程の順番は、上記実施形態で述べたとおりである。
【００４５】
図１及び図２に示すＣＴＣ捕捉カートリッジ（カートリッジ）１００は、液体が流入する流入管１２５が接続された流入口１３０と、液体が流出する流出管１３５が接続された流出口１４０とを有する筐体１２０と、フィルター１０５とを備える。フィルター１０５は、上部部材１１０及び下部部材１１５から構成される筐体１２０により固定されている。血液試料、洗浄液及びその他の反応液は、流入管１２５を通って筐体１２０の内部に導入され、フィルター１０５を通って、流出管１３５から外部に排出される。このような液体の流れは、例えば、流入管１２５の上流又は流出管１３５の下流にポンプを接続することにより作り出すことができる。また、流入管１２５の上流及び／又は流出管１３５の下流にコックを設け、液体の流れを制御してもよい。
【００４６】
はじめに、血液試料を流入管１２５からカートリッジ１００内に導入して、血液試料をフィルター１０５でろ過する（工程（ａ））。血液試料中のＣＴＣ及び一部の白血球は、フィルター１０５の貫通孔１０６を通過できず、フィルター１０５の表面に残留する。血液試料中のその他の成分は、貫通孔１０６を通過し、カートリッジ１００の外へと排出される。次いで、洗浄液をフィルター１０５に通液してフィルター１０５を洗浄してもよい。フィルター１０５の洗浄は、以下の各工程の後にも、適宜行うことができる。
【００４７】
さらに、フィルター１０５上に細胞が捕捉された後、固定剤、次いで透過処理剤を含む反応液を、それぞれカートリッジ１００内に任意で導入して、カートリッジ１００内に所定時間保持することで、細胞と固定剤及び透過処理剤とをそれぞれ反応させてもよい。
【００４８】
同様にして、細胞に、ＰＤ−Ｌ１を認識する一次抗体を含む反応液、次いで一次抗体を認識する二次抗体であって蛍光色素（第一の蛍光色素）で標識されている二次抗体を含む反応液を、それぞれフィルター１０５上に捕捉された細胞と反応させる。あるいは、細胞に、ＰＤ−Ｌ１を認識する抗体であって蛍光色素（第一の蛍光色素）で標識されている抗体を含む反応液を、フィルター１０５上に捕捉された細胞と反応させる（工程（ｂ１））。
【００４９】
最後に、蛍光顕微鏡を使用してカートリッジ１００に蛍光色素の励起光を照射して、フィルター１０５上に捕捉された細胞から発せられる蛍光を検出する（工程（ｃ））。蛍光の検出は、例えば、カートリッジ１００の垂直方向上面からカートリッジ１００を観察し、蛍光観察像を処理することにより行う。
【００５０】
カートリッジは、工程（ｂ２）及び工程（ｄ）をさらに備える実施形態においても使用可能である。また、任意の工程（ｘ１）及び（ｘ２）をさらに行うこともできる。
【実施例】
【００５１】
（実施参考例１）
培養フラスコに入った非小細胞肺癌細胞株を、二酸化炭素インキュベーター内で、３７℃で培養した。培養フラスコに、濃度０．２５％のトリプシン−ＥＤＴＡを添加し、フラスコに張り付いた培養細胞をフラスコから剥離した。剥離させた細胞を血球計算盤及び位相差顕微鏡を用いて計数した。採血管に採血した健常人の血液に、１００個の細胞を添加することで、肺癌患者の血液を摸した血液試料を調製した。細胞株としては、それぞれＰＤ−Ｌ１の発現程度の異なる、ＮＣＩ−Ｈ８２０（ＰＤ−Ｌ１高発現）、ＮＣＩ−Ｈ４４１（ＰＤ−Ｌ１中発現）、Ａ５４９（ＰＤ−Ｌ１低発現）、及びＮＣＩ−Ｈ２３（ＰＤ−Ｌ１陰性）の４種類を用いて、４種類の血液試料を準備した。採血管としては、ベクトン・ディッキンソンアンドカンパニー社製のＥＤＴＡ−２Ｋ（エチレンジアミン四酢酸二カリウム塩）入り採血管を使用した。【００５２】
採血から１時間以内に、ＣＴＣ捕捉装置を用いて上記４種類の血液試料中のＰＤ−Ｌ１陽性癌細胞を以下のように検出した。ＣＴＣ捕捉装置は、血液試料及びその他の反応液を導入するリザーバーと、ＣＴＣ捕捉カートリッジとを備える。ＣＴＣ捕捉カートリッジ（以下、カートリッジともいう）は、長径１００μｍ、短径８μｍの貫通孔を多数有する薄膜の金属フィルター（膜面積６ｍｍ×６ｍｍ、膜厚１８μｍ）を内部に備え、上記実施形態で説明したカートリッジ１００に相当する。【００５３】
まず、カートリッジを、０．５％ＢＳＡ及び２ｍＭ  ＥＤＴＡを含有したＰＢＳ溶液（以下、「洗浄液」という。）で満たした。リザーバーに、洗浄液を７ｍＬ入れ、洗浄液の下に、上記血液試料を３ｍＬ、血液試料と洗浄液が層をなすように加えた。ＣＴＣ捕捉装置を作動させ、流速２００μＬ／分でリザーバー中の血液試料及び洗浄液をカートリッジに導入し、血液試料中の細胞をフィルター上に捕捉した。カートリッジに洗浄液を導入し、フィルターに残留した血液成分を洗い流した。【００５４】
１．２５ｍＬの抗ヒトＣＤ４５マウスモノクローナル抗体（クローン：２Ｄ１）を含む反応液を流速２００μＬ／分でカートリッジに導入し、室温にて３０分反応させた。１．４０ｍＬの洗浄液を流速４００μＬ／分でカートリッジに導入し、カートリッジ内の上記反応液を排出した。１．２５ｍＬのＡｌｅｘａ  Ｆｌｕｏｒ  ５９４標識抗マウスＩｇＧヤギポリクロナール抗体を含む反応液を流速４００μＬ／分でカートリッジに導入し、室温にて３０分反応させた。１．４０ｍＬの洗浄液を流速４００μＬ／分でカートリッジに導入し、カートリッジ内の上記反応液を排出した。【００５５】
ホルムアルデヒドを０．５質量％〜４質量％含有するＰＢＳ溶液１．２５ｍＬを、流速４００μＬ／分でカートリッジに導入し、室温にて１０分反応させることにより、細胞を固定化した。１．４０ｍＬの洗浄液を流速４００μＬ／分でカートリッジに導入し、カートリッジ内の上記反応液を排出した。【００５６】
Ｔｒｉｔｏｎ  Ｘ−１００（シグマアルドリッチ社製）を０．０５質量％〜０．１質量％含有するＰＢＳ溶液１．２５ｍＬを、流速４００μＬ／分でカートリッジに導入し、室温にて１０分反応させることにより、細胞を透過処理した。１．４０ｍＬの洗浄液を流速４００μＬ／分でカートリッジに導入し、カートリッジ内の上記反応液を排出した。【００５７】
１．２５ｍＬの抗ヒトＰＤ−Ｌ１ウサギモノクローナル抗体（クローン：２８−８）を含む反応液を流速２００μＬ／分でカートリッジに導入し、室温にて６０分反応させた。１．４０ｍＬの洗浄液を流速４００μＬ／分でカートリッジに導入し、カートリッジ内の上記反応液を排出した。１．２５ｍＬのＡｌｅｘａ  Ｆｌｕｏｒ  ６４７標識抗ウサギＩｇＧヤギポリクロナール抗体を含む反応液を流速４００μＬ／分でカートリッジに導入し、室温にて３０分反応させた。１．４０ｍＬの洗浄液を流速４００μＬ／分でカートリッジに導入し、カートリッジ内の上記反応液を排出した。【００５８】
ＦＩＴＣ標識抗ヒトサイトケラチンマウスモノクローナル抗体（クローン：ＣＫ３、６Ｈ５、ＡＥ１、及びＡＥ３の混合物）、及びＤＡＰＩを含む反応液１．２５ｍＬを、４００μＬ／分でカートリッジに導入し、室温にて３０分反応させた。３．００ｍＬの洗浄液を流速４００μＬ／分でカートリッジに導入し、カートリッジ内の上記反応液を排出した。次いで、カートリッジをＣＴＣ捕捉装置から外した。【００５９】
カートリッジを蛍光顕微鏡に設置した。蛍光ミラーユニットを使用して、細胞上の蛍光色素（ＦＩＴＣ、Ａｌｅｘａ  Ｆｌｕｏｒ  ５９４、Ａｌｅｘａ  Ｆｌｕｏｒ  ６４７、及びＤＡＰＩ）をそれぞれ励起させた。それぞれの蛍光色素から発せられた蛍光を撮影し、得られた画像を合成した。【００６０】
結果を図３に示す。図中、Ｈ８２０はＮＣＩ−Ｈ８２０、Ｈ４４１はＮＣＩ−Ｈ４４１、Ｈ２３はＮＣＩ−Ｈ２３を、それぞれ意味する（以下、同じ）。ＰＤ−Ｌ１陽性の癌細胞株であるＮＣＩ−Ｈ８２０及びＮＣＩ−Ｈ４４１を用いた実験においては、細胞核（ＤＡＰＩ）、サイトケラチン（ＦＩＴＣ）、及びＰＤ−Ｌ１（Ａｌｅｘａ  Ｆｌｕｏｒ  ６４７）が陽性であり、かつ、ＣＤ４５（Ａｌｅｘａ  Ｆｌｕｏｒ  ５９４）が陰性である細胞の蛍光画像が得られた。ＰＤ−Ｌ１陰性の癌細胞株であるＮＣＩ−Ｈ２３を用いた実験においては、細胞核及びサイトケラチンが陽性であり、かつ、ＣＤ４５及びＰＤ−Ｌ１が陰性である細胞の蛍光画像が得られた。一方、いずれの実験においても、細胞核及びＣＤ４５が陽性であり、かつ、サイトケラチン及びＰＤ−Ｌ１が陰性である、白血球の蛍光画像も得られた（図には示していない）。抗体の非特異的な結合によるＰＤ−Ｌ１偽陽性はみられなかった。なお、「陽性」とは蛍光が検出されたことを意味し、「陰性」とは蛍光が検出されなかったことを意味する。【００６１】
（実施参考例２）
細胞株としてＮＣＩ−Ｈ８２０を用いた。抗ヒトＰＤ−Ｌ１ウサギモノクローナル抗体のクローンをＳＰ１４２に変更した以外は実施参考例１と同様の方法により、細胞の蛍光を観察した。【００６２】
結果を図４及び図５に示す。これらの図に示すように、細胞核、サイトケラチン、及びＰＤ−Ｌ１が陽性であり、かつ、ＣＤ４５が陰性である細胞の蛍光画像が得られた。また、図５の右下には、細胞核及びＣＤ４５が陽性であり、かつ、サイトケラチン及びＰＤ−Ｌ１が陰性である、白血球がみられる。抗体の非特異的な結合によるＰＤ−Ｌ１偽陽性はみられなかった。【００６３】
（実施参考例３）
細胞株としてＮＣＩ−Ｈ８２０を用いた。抗ヒトＰＤ−Ｌ１ウサギモノクローナル抗体を、Ｅ１Ｌ３Ｎ（登録商標）由来の抗体、ＥＰＲ１１６１（２）由来の抗体、及びポリクローナル抗体（Ｐｒｏｓｃｉ社製、カタログ番号：４０５９）に変更した以外は実施参考例１と同様の方法により、細胞の蛍光を観察した。結果を図６及び図７に示す。【００６４】
図６及び図７に示すように、いずれの抗体を用いた実験においても、細胞核、サイトケラチン、及びＰＤ−Ｌ１が陽性であり、かつ、ＣＤ４５が陰性である細胞の蛍光画像が得られた。ＰＤ−Ｌ１の蛍光強度は、Ｅ１Ｌ３Ｎ由来の抗体を用いた実験において高く、ポリクローナル抗体を用いた実験において低かった。ＥＰＲ１１６１（２）由来の抗体を用いた実験においては、ＰＤ−Ｌ１の蛍光は僅かに確認できる程度であった。【００６５】
図７に示すように、いずれの抗体を用いた実験においても、細胞核及びＣＤ４５が陽性であり、かつ、サイトケラチン及びＰＤ−Ｌ１が陰性である、白血球がみられる。一方、図７は、いずれの抗体を用いた実験においても、抗体の非特異的な結合が観察されたことをも示す。【００６６】
（実施参考例４）
ＰＤ−Ｌ１に対する二次抗体（抗ウサギＩｇＧヤギポリクロナール抗体）の標識色素をＡｌｅｘａ  Ｆｌｕｏｒ  ６８０及びＡｌｅｘａ  Ｆｌｕｏｒ（登録商標）  ７００に変更した以外は実施参考例１と同様の方法により、細胞の蛍光を観察した。【００６７】
結果を図８に示す。Ａｌｅｘａ  Ｆｌｕｏｒ  ６８０及びＡｌｅｘａ  Ｆｌｕｏｒ  ７００を用いた場合、ＰＤ−Ｌ１の蛍光強度が低かった。【００６８】
（実施例１）
＜ＰＤ−Ｌ１陽性癌細胞の検出＞
非小細胞肺癌と診断された癌患者３０名から採血した。癌患者の詳細を表１に示す。採血管としては、ベクトン・ディッキンソンアンドカンパニー社製のＥＤＴＡ−２Ｋ（エチレンジアミン四酢酸二カリウム塩）入り採血管を使用した。【００６９】
【表１】
2018190379.tif 000003
表中、「ＥＧＦＲ変異」は上皮成長因子受容体遺伝子の変異を、「ＡＬＫ転座」は未分化リンパ腫キナーゼ遺伝子の転座を、それぞれ意味する。【００７０】
採血から１時間以内に、血液試料中のＰＤ−Ｌ１陽性癌細胞を検出した。検出は、上記血液試料を用いたこと以外は、実施参考例１と同様の方法により行った。【００７１】
検出された蛍光の合成画像から、細胞核（ＤＡＰＩ）及びサイトケラチン（ＦＩＴＣ）が陽性であり、かつ、ＣＤ４５（Ａｌｅｘａ  Ｆｌｕｏｒ  ５９４）が陰性である細胞の数（すなわち、ＣＴＣの数）を求めた。同様に、蛍光の合成画像から、細胞核、サイトケラチン、及びＰＤ−Ｌ１が陽性であり、かつ、ＣＤ４５が陰性である細胞の数（すなわち、ＰＤ−Ｌ１陽性癌細胞の数）を求めた。これらの値から、ＣＴＣの数に対するＰＤ−Ｌ１陽性癌細胞の数の割合（％）を算出した。【００７２】
＜ニボルマムの奏効性の評価＞
３０名の患者のうち、ＣＴＣの数に対するＰＤ−Ｌ１陽性癌細胞の数の割合を算出することができた患者２８名に、ニボルマム３ｍｇ／ｋｇを２週間間隔で投与した。投与は、臨床的に無効又は副作用により投与不可と判断されるまで続け、投与期間は約６週間から８週間にわたった。投与から約４２日経過後、患者の腫瘍（標的病変）の大きさをコンピュータ断層撮影（ＣＴ）の横断面像から計測し、投与前の腫瘍の大きさと比べることによりニボルマムの奏効性を評価した。具体的には、奏効性は、「固形がんの治療効果判定のための新ガイドライン（ＲＥＣＩＳＴガイドライン）改訂版ｖｅｒｓｉｏｎ  １．１」に従って評価した。以下が、ガイドラインに示される、腫瘍縮小効果の判定に使用する規準である。
ＣＲ（完全奏効、Ｃｏｍｐｌｅｔｅ  Ｒｅｓｐｏｎｓｅ）：すべての標的病変の消失。標的病変として選択したすべてのリンパ節病変は、短径で１０ｍｍ未満に縮小しなくてはならない。
ＰＲ（部分奏効、Ｐａｒｔｉａｌ  Ｒｅｓｐｏｎｓｅ）：ベースライン径和に比して、標的病変の径和が３０％以上減少。
ＰＤ（進行、Ｐｒｏｇｒｅｓｓｉｖｅ  Ｄｉｓｅａｓｅ）：経過中の最小の径和（ベースライン径和が経過中の最小値である場合、これを最小の径和とする）に比して、標的病変の径和が２０％以上増加、かつ、径和が絶対値でも５ｍｍ以上増加。
ＳＤ（安定、Ｓｔａｂｌｅ  Ｄｉｓｅａｓｅ）：経過中の最小の径和に比して、ＰＲに相当する縮小がなくＰＤに相当する増大がない。【００７３】
結果を表２〜表４に示す。表２、表３、表４は、それぞれＣＴＣの数に対するＰＤ−Ｌ１陽性癌細胞の数の割合（％）が、５０％以上、４０％以上、３０％以上であった患者群におけるニボルマムの奏効性をまとめたものである。これらの結果は、ＣＴＣの数に対するＰＤ−Ｌ１陽性癌細胞の数の割合（％）が３０％以上であった患者の多くに対して、ニボルマムの投与が有効であったことを示す。これは、免疫チェックポイント阻害剤が、ＰＤ−Ｌ１陽性癌細胞の割合が３０％以上である被験者に対して高い奏効性を示すと予測することの妥当性を示している。【００７４】
【表２】
2018190379.tif 000004
【表３】
2018190379.tif 000005
【表４】
2018190379.tif 000006
【符号の説明】
【００７５】
１００…ＣＴＣ捕捉カートリッジ、１０５…フィルター、１０６…貫通孔、１１０…上部部材、１１５…下部部材、１２０…筐体、１２５…流入管、１３０…流入口、１３５…流出管、１４０…流出口。
【図１】
2018190379.tif 000007
【図２】
2018190379.tif 000008
【図３】
2018190379.tif 000009
【図４】
2018190379.tif 000010
【図５】
2018190379.tif 000011
【図６】
2018190379.tif 000012
【図７】
2018190379.tif 000013
【図８】
2018190379.tif 000014
【国際調査報告】
2018190379.tif 000015
2018190379.tif 000016
2018190379.tif 000017
2018190379.tif 000018
2018190379.tif 000019